(57)【要約】【課題】アナログ放送、デジタル放送を受信可能なテレビジョン受信機において、妨害波による映像の妨害を改善することを目的とする。【解決手段】選局情報を受け取る制御部２と、この制御部２から指定されたチャンネルを選局するデジタル放送受信用チューナー３およびアナログ放送受信用チューナー４と、これらのデジタル放送受信用チューナー３およびアナログ放送受信用チューナー４からの映像信号を表示部７に映し出すための信号処理を行う映像処理回路６とを有し、かつ前記アナログ放送受信用チューナー４側の接地点９とデジタル放送受信用チューナー３側の接地点１０の接続を開閉するＦＥＴ８と、チャンネル毎に前記ＦＥＴの開閉を制御する情報を格納したメモリ１１とを設け、選局情報を受けて前記メモリ１１から必要な情報を呼び出して前記ＦＥＴ８を制御するように構成した。【選択図】図１
2006050214.tif 000002
【特許請求の範囲】
【請求項１】
選局情報を受け取る制御部と、この制御部から指定されたチャンネルを選局するデジタル放送受信用チューナーおよびアナログ放送受信用チューナーと、これらのデジタル放送受信用チューナーおよびアナログ放送受信用チューナーからの映像信号を表示部に映し出すための信号処理を行う映像処理回路とを有し、かつ前記アナログ放送受信用チューナー側の接地点とデジタル放送受信用チューナー側の接地点の接続を開閉するスイッチと、チャンネル毎に前記スイッチの開閉を制御する情報を格納したメモリとを設け、選局情報を受けて前記メモリから必要な情報を呼び出して前記スイッチを制御するように構成したテレビジョン受信機。
【請求項２】
アナログ放送受信用チューナー側の接地点とデジタル放送受信用チューナー側の接地点の接続を開閉するスイッチを機器外部から制御するための外部制御部を設け、メモリからの情報による制御と外部制御部からの制御を切り替え可能に構成した請求項１に記載のテレビジョン受信機。
【発明の詳細な説明】
【技術分野】
【０００１】
本発明は地上波アナログ放送とＢＳ／ＣＳ／地上波デジタル放送を受信するテレビジョン受信機に関するものである。
【背景技術】
【０００２】
具体的な先行技術文献はないが、アナログ放送受信機では、アナログ放送受信用チューナーに飛び込む妨害波による映像の妨害が従来からよく知られた課題となっている。この妨害波は受信機内部で使用されているクロックなどの高調波成分が原因であり、放送局からの搬送波を妨害し表示部に映し出される映像に斜めビートなどの妨害を発生させる。
【０００３】
近年のＢＳ／ＣＳデジタル放送、地上波デジタル放送の開始によってテレビジョン受信機はアナログ放送とデジタル放送両方の対応が要求されているが、デジタル放送受信部は当然のことながらデジタル回路が中心であり、妨害波の発生源となっていることが多い。
【発明の開示】
【発明が解決しようとする課題】
【０００４】
前述したようにデジタル放送、アナログ放送をともに受信可能な受信機においては、従来以上にアナログ放送受信用チューナーに飛び込む妨害波の除去が課題であり、一般的には電源、接地点（以下ＧＮＤという）クロック、バスラインの高調波を除去する対策が有効である。しかしＧＮＤについてはその引き回し方によって信号のリターン電流の流れ方が変わり、地上波アナログテレビジョンの場合該当する周波数、つまりチャンネルが変わるだけでそのチャンネルでは妨害を対策できていても別のチャンネルに妨害を及ぼしていることがある。
【０００５】
本発明はこのような現状に鑑みなされたもので、アナログ放送、デジタル放送を受信可能なテレビジョン受信機において、妨害波による映像の妨害を改善することを目的とするものである。
【課題を解決するための手段】
【０００６】
上記課題を解決するために本発明のテレビジョン受信機は、選局情報を受け取る制御部と、この制御部から指定されたチャンネルを選局するデジタル放送受信用チューナーおよびアナログ放送受信用チューナーと、これらのデジタル放送受信用チューナーおよびアナログ放送受信用チューナーからの映像信号を表示部に映し出すための信号処理を行う映像処理回路とを有し、かつ前記アナログ放送受信用チューナー側の接地点とデジタル放送受信用チューナー側の接地点の接続を開閉するスイッチと、チャンネル毎に前記スイッチの開閉を制御する情報を格納したメモリとを設け、選局情報を受けて前記メモリから必要な情報を呼び出して前記スイッチを制御するように構成したものである。
【０００７】
また、アナログ放送受信用チューナー側の接地点とデジタル放送受信用チューナー側の接地点の接続を開閉するスイッチを機器外部から制御するための外部制御部を設け、メモリからの情報による制御と外部制御部からの制御を切り替え可能に構成したものである。
【発明の効果】
【０００８】
本発明によるテレビジョン受信機は、地上波アナログ放送のＲＦ妨害対策方法の１つであるＧＮＤ強化や接続先変更を各チャンネルに応じて設定できるため、ＧＮＤ変更による他チャンネルへの影響を考慮せずに該当チャンネルの妨害の対策を行うことができる。また、チャンネル毎にＲＦ妨害に対して最も効果的なＧＮＤパターンにすることができるため、妨害レベルも低減させることができる。
【０００９】
また、あらかじめメモリに設定されたＧＮＤパターンを外部から直接制御するように構成することにより、受信機のばらつきや環境の違いによる妨害状況変化を補正することができる。
【発明を実施するための最良の形態】
【００１０】
以下、本発明の一実施の形態によるテレビジョン受信機について、図１〜図５を用いて説明する。
【００１１】
図１は本発明の一実施の形態によるテレビジョン受信機の全体構成を示す図である。図１において、１は視聴するチャンネルを選局するためのリモートコントロール装置（以下、リモコンと略す）、２は選局情報を受け取るマイクロコンピュータにより構成された制御部、３、４はこの制御部２から指定されたチャンネルを選局するデジタル放送受信用チューナーおよびアナログ放送受信用チューナー、５はデジタル放送受信用チューナー３で受信したデジタル信号を復調するためのデコーダー、６はこれらのデジタル放送受信用チューナー３およびアナログ放送受信用チューナー４からの映像信号を表示部７に映し出すための信号処理を行う映像処理回路、８は前記アナログ放送受信用チューナー４側のＧＮＤ９とデジタル放送受信用チューナー３側のＧＮＤ１０の接続を開閉するスイッチとしてのＦＥＴ、１１はチャンネル毎に前記ＦＥＴ８の開閉を制御する情報が格納したメモリであり、リモコン１からの選局情報を受けて、制御部２が前記メモリ１１から必要な情報を呼び出して前記ＦＥＴ８を制御するように構成している。
【００１２】
すなわち、視聴者によって選局されたチャンネル情報が制御部２に入力されると、制御部２は視聴者によって選局されたチャンネル情報をデジタル放送受信用チューナー３およびアナログ放送受信用チューナー４に渡す。このとき選局されたチャンネルがアナログチャンネルの場合、制御部２はメモリ１１から該当チャンネルのＧＮＤパターンを読み出し、アナログ放送受信用チューナー側ＧＮＤ９とデジタル放送受信用チューナー側ＧＮＤ１０を接続するＦＥＴ８を制御する。アナログ放送受信用チューナー４から送られる信号は、映像処理回路６で信号処理され、表示部７に映像が映し出される。視聴者によってデジタルのチャンネルが選局された場合、ＲＦ妨害とは無関係であるため、制御部２はＦＥＴ８を初期値状態に戻す。デジタル放送受信用チューナー３から送られる信号は、デコーダー５で復調され、映像処理回路６で信号処理された後、表示部７に映像が映し出される。
【００１３】
図２は図１の点線部分１２を実際の回路基板状態に合わせてＧＮＤ配置を分かりやすく表した図である。商品開発の段階で、各アナログチャンネルについて、ＧＮＤ接続パターンを最適化し、その内容をメモリ１１に記録しておけば、制御部２の制御によって最適化されたＧＮＤパターンを形成することができる。アナログ放送受信用チューナー側ＧＮＤ９とデジタル放送受信用チューナー側ＧＮＤ１０はビス１３によって接続されている。
【００１４】
図３はメモリ１１に格納される内容を示す図である。メモリ１１には、メモリ格納内容１４のようにチャンネルに対応した形でＧＮＤのパターンを格納しておけばよい。基板に接続用のビス１３の数にもよるが、例えば回路基板が図２のような形状でビス１３の接続箇所が４箇所の場合、制御部２がメモリ１１から読み出すＧＮＤ接続パターン１５は１３通り発生する。なお、図３において、「○」はＦＥＴ８がＯＮを示し、「×」はＦＥＴ８がＯＦＦを示している。このときＦＥＴ８の初期状態は一番多くのチャンネルで最適とされるＧＮＤパターンを選択する。図３の場合、パターン１が初期値になる。
【００１５】
次に図４のフローチャートを用いて、さらに動作を詳細に説明する。まず、視聴者がチャンネルを選択すると、選択されたチャンネルがアナログ放送チャンネルかデジタル放送チャンネルを判別し、デジタル放送チャンネルであればＲＦ妨害は関係ないため、スイッチとしてのＦＥＴ８は初期化され、初期状態のＧＮＤパターンにセットされた状態で映像は画面に表示される。
【００１６】
一方、アナログ放送であれば、制御部２がメモリ１１からＧＮＤ最適パターンを読み出し、アナログ放送受信用チューナー側のＧＮＤ９とデジタル放送受信用チューナー側のＧＮＤ１０を接続するスイッチであるＦＥＴ８を制御する。これにより、ＲＦ妨害に対して最適化されたＧＮＤパターンが形成され、映像が画面に表示される。
【００１７】
図５に本発明の他の実施の形態によるテレビジョン受信機の全体構成を示している。図５において、図１と同一部分については、同一番号を付している。図５に示すように、本実施の形態においては、アナログ放送受信用チューナー側のＧＮＤ９とデジタル放送受信用チューナー側のＧＮＤ１０の接続を開閉するスイッチとしてのＦＥＴ８を、機器外部から制御するための外部制御部１６を設け、メモリ１１からの情報による制御と外部制御部１６からの制御を切替スイッチ１７により切り替え可能に構成したものである。
【００１８】
すなわち、切替スイッチ１７が外部側に切り替えられると、制御部２は外部制御部１６からの指示によりＦＥＴ８を制御することができるもので、外部からＦＥＴ８を制御することによって、製品のばらつきや設置環境による微調整をサービスマンなどが受信機に応じて、設定を個別対応することができる。なお、このとき外部制御部１６は、メモリ１１のデータを書き換えることができるもので、個別に微調整した情報をメモリ１１に記憶させることができる。
【００１９】
以上のように本発明によるテレビジョン受信機は、地上波アナログ放送のＲＦ妨害対策方法の１つであるＧＮＤ強化や接続先変更を各チャンネルに応じて設定できるため、ＧＮＤ変更による他チャンネルへの影響を考慮せずに該当チャンネルの妨害の対策を行うことができ、またチャンネル毎にＲＦ妨害に対して最も効果的なＧＮＤパターンにすることができるため、妨害レベルも低減させることができる。また、あらかじめメモリに設定されたＧＮＤパターンを外部から直接制御するように構成することにより、受信機のばらつきや環境の違いによる妨害状況変化を補正することができる。
【産業上の利用可能性】
【００２０】
本発明によれば、地上波アナログ放送受信時の妨害を選局チャンネルに対応させた形で除去することができるという、有用な発明である。
【図面の簡単な説明】
【００２１】
【図１】本発明の一実施の形態におけるテレビジョン受信機の全体構成を示すブロック図
【図２】ＧＮＤ配置を説明するための概略図
【図３】メモリに格納されている内容の一例を示す説明図
【図４】動作を説明するためのフローチャート
【図５】本発明の他の実施の形態におけるテレビジョン受信機の全体構成を示すブロック図
【符号の説明】
【００２２】
２  制御部
３  デジタル放送受信用チューナー
４  アナログ放送受信用チューナー
６  映像処理回路
７  表示部
８  ＦＥＴ
９、１０  接地点（ＧＮＤ）
１１  メモリ
１６  外部制御部
１７  切替スイッチ
【図１】
2006050214.tif 000003
【図２】
2006050214.tif 000004
【図３】
2006050214.tif 000005
【図４】
2006050214.tif 000006
【図５】
2006050214.tif 000007